(57)【要約】  データ・サービスの課金情報を収集するための装置及びその課金方法である。収集装置は、プロトコル・タイプによりワイヤレス・ネットワークにおけるゲートウェイ・サービス・ノードから受信されたサービス・データを分類して、該分類されたデータを、対応のプロトコル・タイプのプロトコル処理モジュールに送り；  該モジュールからサービス・データを受信して、該データを前記ノードに送るためのプロトコル配分処理モジュールと、該モジュールからの分類されたデータを受信し、該データの課金情報を得て課金システムに送り、該データをパケット交換された領域ネットワークに透過的に送信し；  該領域ネットワークからサービス・データを受信し、サービス・データの課金情報を得て課金システムに送り、そして該サービス・データをプロトコル配分処理モジュールに透過的に送信するための少なくとも１つのプロトコル処理モジュールと、を備える。
2007511936.tif 000002
【特許請求の範囲】
【請求項１】
データ・サービスの課金情報を収集するためにワイヤレス・ネットワークにおいて適用される収集装置であって、プロトコル配分処理モジュール及び１つまたは複数のプロトコル処理モジュールを備え、その各々は、プロトコル・タイプに対応し、ここに、
前記プロトコル配分処理モジュールは、サービスのプロトコル・タイプによりワイヤレス・ネットワークにおけるゲートウェイ・サービス・ノードから受信されたサービス・データを分類して、該分類されたサービス・データを、対応のプロトコル・タイプのプロトコル処理モジュールに送り；  前記１つまたは複数のプロトコル処理モジュールからサービス・データを受信し、そしてサービス・データをゲートウェイ・サービス・ノードに送り；
前記１つまたは複数のプロトコル処理モジュールは、プロトコル配分処理モジュールからの分類されたサービス・データを受信し、サービス・データの課金情報を得て該課金情報を課金システムに送り、そして該サービス・データをパケット交換された領域ネットワークに透過的に送信し；  パケット交換された領域ネットワークからサービス・データを受信し、サービス・データの課金情報を得て該課金情報を課金システムに送り、そして該サービス・データをプロトコル配分処理モジュールに透過的に送信する、
ものである収集装置。
【請求項２】
前記収集装置は、ワイヤレス・ネットワークのゲートウェィ・サービス・ノードと、パケット交換される領域ネットワークとの間のＧｉインターフェース上に位置する請求項１に記載の収集装置。
【請求項３】
収集装置は、ワイヤレス・ネットワークのゲートウェィ・サービス・ノードに、または、ワイヤレス・ネットワークのワイヤレス・アプリケーション・プロトコル・ゲートウェィに一体化される請求項１に記載の収集装置。
【請求項４】
前記プロトコル処理モジュールは、
プロトコル配分処理モジュールからのハイパー・テキスト・トランスファー・プロトコル（ＨＴＴＰ）サービス・データを受信し、サービス・データの課金情報を得て該課金情報を課金システムに送り、そして該サービス・データをパケット交換された領域ネットワークに透過的に送信し；  パケット交換された領域ネットワークからＨＴＴＰサービス・データを受信し、サービス・データの課金情報を得て該課金情報を課金システムに送り、そして該サービス・データをプロトコル配分処理モジュールに透過的に送信する、ためのハイパー・テキスト・トランスファー・プロトコル（ＨＴＴＰ）処理モジュール、
または／及び
プロトコル配分処理モジュールからのワイヤレス・アプリケーション・プロトコル（ＷＡＰ）サービス・データを受信し、サービス・データの課金情報を得て該課金情報を課金システムに送り、そして該サービス・データをパケット交換された領域ネットワークに透過的に送信し；  パケット交換された領域ネットワークからＷＡＰサービス・データを受信し、サービス・データの課金情報を得て該課金情報を課金システムに送り、そして該サービス・データをプロトコル配分処理モジュールに透過的に送信する、ためのワイヤレス・アプリケーション・プロトコル（ＷＡＰ）処理モジュール、
または／及び
プロトコル配分処理モジュールからの送信制御プロトコル／インターネット・プロトコル（ＴＣＰ／ＩＰ）サービス・データを受信し、サービス・データの課金情報を得て該課金情報を課金システムに送り、そして該サービス・データをパケット交換された領域ネットワークに透過的に送信し；  パケット交換された領域ネットワークからＴＣＰ／ＩＰサービス・データを受信し、サービス・データの課金情報を得て該課金情報を課金システムに送り、そして該サービス・データをプロトコル配分処理モジュールに透過的に送信する、ための送信制御プロトコル／インターネット・プロトコル（ＴＣＰ／ＩＰ）処理モジュール、
または／及び
プロトコル配分処理モジュールからの実時間プロトコル／実時間セッション・プロトコル（ＲＴＰ／ＲＴＳＰ）サービス・データを受信し、サービス・データの課金情報を得て該課金情報を課金システムに送り、そして該サービス・データをパケット交換された領域ネットワークに透過的に送信し；  パケット交換された領域ネットワークからＲＴＰ／ＲＴＳＰサービス・データを受信してサービス・データの課金情報を得、該課金情報を課金システムに送り、そして該サービス・データをプロトコル配分処理モジュールに透過的に送信する、ための実時間プロトコル／実時間セッション・プロトコル（ＲＴＰ／ＲＴＳＰ）処理モジュール、
を備える請求項１に記載の収集装置。
【請求項５】
課金情報は、少なくとも、サービス・データを受信するための時刻及び日付と、サービス・データを受信するための移動ステーション（ＭＳ）の番号及びパスワードと、サービス・データによって採用されるプロトコル・タイプと、サービス・データのインターネット・プロトコル（ＩＰ）ポート番号と、アクセス・ポイント・ネーム（ＡＰＮ）と、サービスの品質（ＱｏＳ）と、アップリンクまたはダウンリンクのサービス・データの送信されるバイトとを含む請求項１に記載の収集装置。
【請求項６】
プロトコル処理モジュールがＨＴＴＰ処理モジュールであるとき、前記課金情報は、さらに、ユニフォーム・リソース・ロケータ（ＵＲＬ）を含む請求項５に記載の収集装置。
【請求項７】
プロトコル・タイプによるサービス・データの前記分類は、サービス・データのＩＰポート番号に従って分類を行うことを含む請求項１に記載の収集装置。
【請求項８】
ワイヤレス・ネットワークにおけるデータ・サービスのための課金方法であって、
Ａ．  受信されたサービス・データのプロトコル・タイプを決定し、かつサービス・データのプロトコル・タイプについて、受信されたサービス・データを分類し、
Ｂ．  それぞれ、プロトコル・タイプに従って分類されてしまった受信されたサービス・データの課金情報を得、かつ該得られた課金情報を課金のために課金システムに送る、
ことを含む方法。
【請求項９】
サービス・データの前記プロトコル・タイプは、ＨＴＴＰ、または／及びＷＡＰ、または／及びＴＣＰ／ＩＰ、または／及びＲＴＰ／ＲＴＳＰである請求項８に記載の方法。
【請求項１０】
課金情報は、サービス・データを受信するための時刻及び日付と、サービス・データを受信するための移動ステーション（ＭＳ）の番号及びパスワードと、サービス・データによって採用されるプロトコル・タイプと、サービス・データのインターネット・プロトコル（ＩＰ）ポート番号と、アクセス・ポイント・ネーム（ＡＰＮ）と、サービスの品質（ＱｏＳ）と、アップリンクまたはダウンリンクのサービス・データの送信されるバイトとを含み、そして
プロトコル処理モジュールがＨＴＴＰ処理モジュールであるとき、前記課金情報は、さらに、ＵＲＬを含む請求項８に記載の方法。
【請求項１１】
ステップＢにおける課金システムにサービス・データの課金情報を送る前記手順は、
サービス・データにアクセスすることを望むＭＳがプリペイド・ユーザであるか否かを決定し、もし、プリペイド・ユーザならば、課金のためにプリペイド課金システムにサービス・データの課金情報を転送し、もし、プリペイド・ユーザでないならば、課金のために実時間課金システムにサービス・データの課金情報を転送することを含む請求項８に記載の方法。
【請求項１２】
ステップＢにおける課金の前記手順は、
サービス・データが課金情報に従って課金されたか否かを決定し、もし、課金情報に従って課金されたならば、この課金情報にそれ以上の処理を実行せず、もし、課金情報に従って課金されなかったならば、課金情報に従ってサービス・データのための課金を行うことを含む請求項８に記載の方法。
【発明の詳細な説明】
【技術分野】
【０００１】
本発明は、ワイヤレス・ネットワークにおけるパケット・データ・サービスの課金情報を収集するための技術に関し、特に、パケット・データ・サービスの課金情報を収集するための装置及びその課金方法に関する。
【背景技術】
【０００２】
ワイヤレス・ネットワークは、それらの早い開発速度でもって、パケット・ベースのネットワークに基づいてデータ・サービスを提供するために利用可能である。ワイヤレス・パケット・ベースのネットワークとインターネットとの一体化は、ワイヤレス・データ・サービスの開発に対して良好な基礎を形成してきた。同時に、持続時間に基づく音声サービスへの課金のようなワイヤレス・ネットワークにおけるサービス課金の伝統的な方式は、もはやデータ・サービスの需要を満足することができない。従って、データ・サービスの課金方式が当該技術分野において焦点となってきている。
【０００３】
データ・サービスの課金方式は、量ベースの課金方式、内容ベースの課金方式、応用ベースの課金方式、そして持続時間ベースの課金方式を含む。例えば、マルチメディア・メッセージング・サービス（ＭＭＳ）は、内容によって課金され、すなわち、フローの量に無関係に各メッセージ片によって課金される。もう１つの例では、ストリーム・メディア・ビデオ・サービスは、フローの実際の量に従って課金され得、もしくは内容によっても課金され得る。
【０００４】
しかしながら、現在では、課金情報の収集点は、概して、サービングＧＰＲＳサボート・ノード（ＳＧＳＮ）、ゲートウェイＧＰＲＳサポート・ノード（ＧＧＳＮ）、ワイヤレス・アクセス・プロトコル・ゲートウェイ（ＷＡＰ ＧＷ）、及びサービス・サーバを含め、種々の装置に関わる。代表的には、サービスの量の課金情報は、ＳＧＳＮまたはＧＧＳＮにおいて収集され、それは、サービス・コントロール・ポイント（ＳＣＰ）に送られるかまたは価格控除及び荷役料金（ターミナル・チャージ）のために他の課金装置に送られる。他方、内容、応用または持続時間の課金情報は、サービス・サーバにおいて収集されて、ＳＣＰに送られるかまたは価格控除及び荷役料金（ターミナル・チャージ）のために他の課金装置に送られる。
【０００５】
結果として、課金システムは、複数の収集点から送られてくる課金情報を受信しなければならず、このことは、課金システムのための課金において困難性を生じ得、度重なる課金も生じ得る。
【０００６】
度重なる課金の原因は、以下の通りである。ＧＧＳＮが収集する量の課金情報は、データ・サービスの国際移動加入者アイデンティティ（ＩＭＳＩ）、移動加入者ＩＳＤＮ番号（ＭＳＩＳＤＮ）、及びアクセス・ポイント・ネーム（ＡＰＮ）だけを含み、サービス・クラスには関わらず、すなわち、それは、データ・サービスを識別するためにあるユニフォーム・リソース・ロケータ（ＵＲＬ）に関わらない。データ・サービスのサービス・クラスは、どの種類の課金方式が課金のためのサービス・データに適用されるべきであるかを識別するために、課金システムのためのインジケータとして用いられる。サービス・データの内容、応用、または持続時間の課金情報がサービス・サーバにおいて収集されてしまい、それが、収集された情報に基づいて課金されてしまったとき、量ベースの課金は、このサービス・クラスのサービス・データ上では、再度行われるべきではない。しかしながら、ＧＧＳＮがこのサービス・データのサービス・クラスをピックアップできないので、それは、内容、応用または持続時間に基づいて課金されてしまったデータ・サービスに対して量ベースの課金をさらに行うであろう。従って、内容、応用または持続時間に基づいて課金されてしまったデータ・サービスは、第２の時間の間課金される。
【０００７】
従って、ワイヤレス・ネットワークにおける収集装置内で異なったサービス・クラスのデータ・サービスの課金情報に対して統一された収集を如何に履行するかに関する解決法が切に必要とされている。
【発明の開示】
【発明が解決しようとする課題】
【０００８】
上述に鑑みて、本発明は、サービス・データの課金情報が収集装置によってすべて収集されて、対応の方式により課金のために課金システムに送られ得るような、データ・サービスの課金情報の収集装置を提供するものである。
【０００９】
他方、本発明は、種々のサービス・クラスのデータ・サービスに如何に課金するか及び度重なる課金を如何に阻止するかに関する問題を解決することができる、ワイヤレス・ネットワークにおけるデータ・サービスのための課金方法を提供するものである。
【課題を解決するための手段】
【００１０】
上述の目的に基づいて、本発明により提供される技術的機構は、以下のように履行される。
【００１１】
データ・サービスの課金情報を収集するためにワイヤレス・ネットワークにおいて適用される収集装置であって、該収集装置は、プロトコル配分処理モジュール及び１つまたは複数のプロトコル処理モジュールを備え、その各々は、プロトコル・タイプに対応する。ここに、
前記プロトコル配分処理モジュールは、サービスのプロトコル・タイプによりワイヤレス・ネットワークにおけるゲートウェイ・サービス・ノードから受信されたサービス・データを分類して、該分類されたサービス・データを、対応のプロトコル・タイプのプロトコル処理モジュールに送り；  前記１つまたは複数のプロトコル処理モジュールからサービス・データを受信し、そしてサービス・データをゲートウェイ・サービス・ノードに送り；
前記１つまたは複数のプロトコル処理モジュールは、プロトコル配分処理モジュールからの分類されたサービス・データを受信し、サービス・データの課金情報を得て該課金情報を課金システムに送り、そして該サービス・データをパケット交換された領域ネットワークに透過的に送信し；  パケット交換された領域ネットワークからサービス・データを受信し、サービス・データの課金情報を得て該課金情報を課金システムに送り、そして該サービス・データをプロトコル配分処理モジュールに透過的に送信する。
【００１２】
前記収集装置は、ワイヤレス・ネットワークのゲートウェィ・サービス・ノードと、パケット交換される領域ネットワークとの間のＧｉインターフェース上に位置する。
【００１３】
収集装置は、ワイヤレス・ネットワークのゲートウェィ・サービス・ノードに、または、ワイヤレス・ネットワークのワイヤレス・アプリケーション・プロトコル・ゲートウェィに一体化される。
【００１４】
前記プロトコル処理モジュールは、
プロトコル配分処理モジュールからのハイパー・テキスト・トランスファー・プロトコル（ＨＴＴＰ）サービス・データを受信し、サービス・データの課金情報を得て該課金情報を課金システムに送り、そして該サービス・データをパケット交換された領域ネットワークに透過的に送信し；  パケット交換された領域ネットワークからＨＴＴＰサービス・データを受信し、サービス・データの課金情報を得て該課金情報を課金システムに送り、そして該サービス・データをプロトコル配分処理モジュールに透過的に送信する、ためのハイパー・テキスト・トランスファー・プロトコル（ＨＴＴＰ）処理モジュール、
または／及び
プロトコル配分処理モジュールからのワイヤレス・アプリケーション・プロトコル（ＷＡＰ）サービス・データを受信し、サービス・データの課金情報を得て該課金情報を課金システムに送り、そして該サービス・データをパケット交換された領域ネットワークに透過的に送信し；  パケット交換された領域ネットワークからＷＡＰサービス・データを受信し、サービス・データの課金情報を得て該課金情報を課金システムに送り、そして該サービス・データをプロトコル配分処理モジュールに透過的に送信する、ためのワイヤレス・アプリケーション・プロトコル（ＷＡＰ）処理モジュール、
または／及び
プロトコル配分処理モジュールからの送信制御プロトコル／インターネット・プロトコル（ＴＣＰ／ＩＰ）サービス・データを受信し、サービス・データの課金情報を得て該課金情報を課金システムに送り、そして該サービス・データをパケット交換された領域ネットワークに透過的に送信し；  パケット交換された領域ネットワークからＴＣＰ／ＩＰサービス・データを受信し、サービス・データの課金情報を得て該課金情報を課金システムに送り、そして該サービス・データをプロトコル配分処理モジュールに透過的に送信する、ための送信制御プロトコル／インターネット・プロトコル（ＴＣＰ／ＩＰ）処理モジュール、
または／及び
プロトコル配分処理モジュールからの実時間プロトコル／実時間セッション・プロトコル（ＲＴＰ／ＲＴＳＰ）サービス・データを受信し、サービス・データの課金情報を得て該課金情報を課金システムに送り、そして該サービス・データをパケット交換された領域ネットワークに透過的に送信し；  パケット交換された領域ネットワークからＲＴＰ／ＲＴＳＰサービス・データを受信してサービス・データの課金情報を得、該課金情報を課金システムに送り、そして該サービス・データをプロトコル配分処理モジュールに透過的に送信する、ための実時間プロトコル／実時間セッション・プロトコル（ＲＴＰ／ＲＴＳＰ）処理モジュール、
を備える。
【００１５】
課金情報は、少なくとも、サービス・データを受信するための時刻及び日付と、サービス・データを受信するための移動ステーション（ＭＳ）の番号及びパスワードと、サービス・データによって採用されるプロトコル・タイプと、サービス・データのインターネット・プロトコル（ＩＰ）ポート番号と、アクセス・ポイント・ネーム（ＡＰＮ）と、サービスの品質（ＱｏＳ）と、アップリンクまたはダウンリンクのサービス・データの送信されるバイトとを含む。
【００１６】
プロトコル処理モジュールがＨＴＴＰ処理モジュールであるとき、前記課金情報は、さらに、ユニフォーム・リソース・ロケータ（ＵＲＬ）を含む。
【００１７】
プロトコル・タイプによるサービス・データの前記分類は、サービス・データのＩＰポート番号に従って分類を行うことを含む。
【００１８】
ワイヤレス・ネットワークにおけるデータ・サービスのための課金方法であって、該方法は、
Ａ．  受信されたサービス・データのプロトコル・タイプを決定し、かつサービス・データのプロトコル・タイプについて、受信されたサービス・データを分類し、
Ｂ．  それぞれ、プロトコル・タイプに従って分類されてしまった受信されたサービス・データの課金情報を得、かつ該得られた課金情報を課金のために課金システムに送る、
ことを含む。
【００１９】
サービス・データの前記プロトコル・タイプは、ＨＴＴＰ、または／及びＷＡＰ、または／及びＴＣＰ／ＩＰ、または／及びＲＴＰ／ＲＴＳＰである。
【００２０】
課金情報は、サービス・データを受信するための時刻及び日付と、サービス・データを受信するための移動ステーション（ＭＳ）の番号及びパスワードと、サービス・データによって採用されるプロトコル・タイプと、サービス・データのインターネット・プロトコル（ＩＰ）ポート番号と、アクセス・ポイント・ネーム（ＡＰＮ）と、サービスの品質（ＱｏＳ）と、アップリンクまたはダウンリンクのサービス・データの送信されるバイトとを含み、そして
プロトコル処理モジュールがＨＴＴＰ処理モジュールであるとき、前記課金情報は、さらに、ＵＲＬを含む。
【００２１】
ステップＢにおける課金システムにサービス・データの課金情報を送る前記手順は、
サービス・データにアクセスすることを望むＭＳがプリペイド・ユーザであるか否かを決定し、もし、プリペイド・ユーザならば、課金のためにプリペイド課金システムにサービス・データの課金情報を転送し、もし、プリペイド・ユーザでないならば、課金のために実時間課金システムにサービス・データの課金情報を転送することを含む。
【００２２】
ステップＢにおける課金の前記手順は、
サービス・データが課金情報に従って課金されたか否かを決定し、もし、課金情報に従って課金されたならば、この課金情報にそれ以上の処理を実行せず、もし、課金情報に従って課金されなかったならば、課金情報に従ってサービス・データのための課金を行うことを含む。
【発明の効果】
【００２３】
上述のことから分かるように、本発明によれば、データ・サービスの課金情報を収集するための装置は、ＧＧＳＮ及びパケット・ベースのネットワーク間に追加される。収集される課金情報は、データ・サービスの量及び持続時間並びにサービス・データのサービス・クラスのような、サービス・データの量、内容、持続時間及び応用（アプリケーション）の課金方式の全ての情報を含む。データ・サービスの課金情報の収集装置は、そのプロトコル・タイプに従ってサービス・データを分類し、異なったプロトコル処理モジュールにおいて異なったプロトコル・タイプのサービス・データを処理し、課金のために異なったサービス・データの課金データ・レコード（ＣＤＲ）情報を得、そしてＣＤＲ情報に基づいてプリペイド課金システムまたは実時間課金システムにおける対応のデータ・サービスを課金する。従って、本発明の収集装置及び方法は、対応の課金方式において課金するために課金システムに情報を送るように、データ・サービスの課金情報の均一な収集を履行することができる。
【００２４】
本発明の装置によって収集される課金情報は、サービス・データのサービス・クラスを含むので、たとえ、課金システムが、他のサービス・サーバによって収集された内容の課金情報に基づいてサービスに課金してしまったとしても、課金システムは、なお、サービス・データのサービス・クラスを分別することができ、そして本発明の装置によって収集された課金情報に基づいてサービス・データを認識することができ、従って、それ以上の課金は行われない。結果的に、現存するワイヤレス・ネットワークに度重なる課金を行うという問題も、本発明によって解決することができる。
【発明を実施するための最良の形態】
【００２５】
本発明の目的、技術的解決法及び利点を明瞭にするために、本発明のさらなる詳細な説明が添付図面を参照して以下に与えられる。
【００２６】
本発明において、データ・サービスの課金情報を収集するための装置が、ＧＧＳＮと、パケット交換される領域ネットワーク(PS domain network)との間に接続されている。図１は、本発明によるワイヤレス・ネットワークにおけるサービス・データの量情報を収集するためのシステム・アーキテクチャを示す図である。図１に示されるように、移動ステーション（ＭＳ）は、ベース・ステーション・サブシステム（ＢＳＳ）を介してＳＧＳＮにアクセスする。移動交換センタ（ＭＳＣ）、ＨＬＲ、及び設備アイデンティティ・レジスタ（ＥＩＲ）の助けにより、ＳＧＳＮは、どのＧＧＳＮがＭＳによりアクセスされるべきかの決定を行って、該アクセスを行い、ＧＧＳＮは、どのパケット交換される領域ネットワークがＭＳによってアクセスされるべきかをＨＬＲを介して決定し、適切なパケット交換される領域ネットワークにＭＳのためのアクセスを履行する。このシステムの外側インターフェースは、種々のサービス・サーバから成り、サービス・サーバは、種々のクラスのサービス・データの、内容、持続時間または応用課金情報を収集するために、異なった点において、例えば、ＧＧＳＮまたはＳＧＳＮにおいて配置され得る。データ・サービスの課金情報がこのＭＳのために収集されるとき、ＰＲＯＸＹ装置が、ＧＧＳＮのＧｉインターフェースと、パケット交換される領域ネットワークとの間に追加され、ここに、ＰＲＯＸＹ装置は、ＭＳがアクセスするサービス・データのＣＤＲ情報を収集する。ＣＤＲ情報によれば、サービス・データのクラスに関する正確な分別（デファレンシエーション）が作られ得、そしてサービス・データの課金情報が得られるであろう。ＣＤＲ情報に関する分析を通して得られるサービス・データ・クラス及びその課金情報は、課金動作のための実時間課金システムまたはプリペイド（前払い）課金システムに送られる。ＭＳＣ、ＨＬＲ、及びＥＩＲのＳＧＳＮとの相互動作は、信号送信（ｓｉｇｎａｌｉｎｇ）システム第７（ＳＳ７）によって行われ、ＨＬＲ及びＳＣＰのＧＧＳＮとの相互動作は、ＳＳ７を介して履行され、プリペイド課金システム（prepaid charging system）及び実時間課金システム(real-time charging system)のＰＲＯＸＹ装置との相互動作は、ＩＰを用いて行われ、ＳＧＳＮ及びＧＧＳＮ間の相互動作は、ＩＰバックボーン(IP Backbone)に基づいている。
【００２７】
ＰＲＯＸＹ装置の詳細な構造は、図２に示されており、プロトコル配分処理モジュール(protocol distribution processing module)２００、ＨＴＴＰ処理モジュール２０１、ＷＡＰ処理モジュール２０３、ＴＣＰ／ＩＰ処理モジュール２０５、ＲＴＰ／ＲＴＳＰ処理モジュール２０７、及びプロトコル処理モジュール２０９を備えている。
【００２８】
パケット交換される領域ネットワークからのサービス・データは、プロトコル・タイプのＩＰポート番号に従って、異なったプロトコル処理モジュールに送られ、例えば、ＩＮＴＥＲＮＥＴ２０２からのサービス・データは、ＨＴＴＰ処理モジュール２０１に送られ、ＷＡＰ ＧＷ２０４からのサービス・データは、ＷＡＰ処理モジュール２０３に送られ、ＡＰＰ（アプリケーション）サーバ２０６からのサービス・データは、ＴＣＰ／ＩＰ処理モジュール２０５に送られ、そして、ストリーム・メディア・サーバ２０８からのサービス・データは、ＲＴＰ／ＲＴＳＰ処理モジュール２０７に送られる。異なったプロトコル・モジュールは、それぞれ、対応のプロトコル・タイプのサービス・データのための処理を行い、そのサービス・データのＣＤＲ情報を得る。その後、サービス・データは、プロトコル配分処理モジュール２００及びＧＧＳＮ２１０を介して適切なＭＳに透過的（トランスペアレント）に送信される。ＭＳがプリペイド加入者であるとき、サービス・データの得られたＣＤＲ情報は、プリペイド課金システムに送られ、ＭＳが実時間で課金される加入者であるとき、サービス・データの得られたＣＤＲ情報は、実時間の課金システムに送られる。
【００２９】
ＭＳからのサービス・データは、ＧＧＳＮ２１０を介してプロトコル配分処理モジュール２００に送られ、該モジュール２００は、サービス・データのプロトコル・タイプのＩＰポート番号に従って処理するためにその対応のプロトコル処理モジュールにサービス・データを配分し、適切なパケット交換される領域ネットワークにその対応のプロトコル処理モジュールを介してサービス・データを透過的に送信する前に、サービス・データのＣＤＲ情報を得る。プリペイド課金システムまたは実時間課金システムは、次に、サービス・データのＣＤＲ情報に従ってＭＳのための課金を行う。
【００３０】
収集装置のプロトコル配分モジュールにおいて、異なったアプリケーション・レイヤ・プロトコルに基づくサービス・データは、サービス・データのプロトコルにおいて運ばれるＩＰポート番号を通して識別され得、例えば、ＨＴＴＰのポート番号は、８０である。
【００３１】
ＨＴＴＰまたはＷＡＰがアプリケーション・レイヤ・トランスファ・プロトコルとして用いられるとき、サービス・データの訪問されたＵＲＬは、サービス・クラスのアイデンティティとしてＰＲＯＸＹ装置において収集され得る。例えば、ＨＴＴＰのＵＲＬが、www.mmsc.com.cn としてセットされるとき、サービス・データのサービス・クラスは、ＭＭＳサービスのデータとして認識され、かつ量ベースの課金システムは、ＭＭＳサービスのモード（方式）によってサービス・データを課金し；  ＨＴＴＰのＵＲＬが、www.kjava.com.cn としてセットされるとき、サービス・データのサービス・クラスは、ＫＪＡＶＡサービスのデータとして認識され、かつ量ベースの課金システムは、ＫＪＡＶＡサービスのモード（方式）によってサービス・データを課金する。
【００３２】
装置の物理的な搬体（キャリア）は、ミニコンピュータまたはワークステーション、等であって良い。ＰＲＯＸＹ装置は、ＧＧＳＮに一体化されて良いが、Ｇｉインターフェースのデータ・ストリームがＰＲＯＸＹ装置を介して透過的に送信され得るように、ＧＧＳＮとＩＮＴＥＲＮＥＴとの間のＧｉインターフェース上に位置されなければならない。ＰＲＯＸＹ装置も、ＷＡＰ ＧＷに一体化され得る。
【００３３】
図３は、本発明におけるＰＲＯＸＹ装置によりサービス・データに量ベースで課金するフローチャートであるが、該図３に示されるように、特定の手順は、以下のステップを含む。
【００３４】
ステップ３００：  サービス・データの量に関する統計量を収集するとき、ＩＰレイヤの送信ポート番号についてサービス・データの送信レイヤのベアラ（ｂｅａｒｅｒ）・プロトコルを決定する；
【００３５】
ステップ３０１〜３０２：  サービス・データのポート番号がＰＯＲＴ１であるならば、すなわち、サービス・データの送信レイヤのベアラ・プロトコルがＲＴＰ／ＲＴＳＰプロトコルであるならば、サービス・データのＣＤＲ情報は、ＲＴＰ／ＲＴＳＰ処理モジュールによってピックアップされ、次に、ステップ３０９が実行される。ＣＤＲ情報は、サービス・データの送信がスタートしたときの日付及び時刻と、サービス・データを受信しかつ送るためのＭＳＩＳＤＮと、ＩＭＳＩと、サービス・データ送信制御プロトコル／ユーザ・データグラム・プロトコル（ＴＣＰ／ＵＤＰ）のトランスポート・プロトコルと、サービス・データを受信しかつ送るためのＭＳのＩＰアドレス及びポート番号と、ＡＰＮと、認可されたＱｏＳと、送信されるバイトのアップリンク番号と、送信されるバイトのダウンリンク番号と、を含む。
【００３６】
ステップ３０３〜３０４：  サービス・データのポート番号がＰＯＲＴ２であるならば、すなわち、サービス・データの送信レイヤのベアラ・プロトコルが、ＨＴＴＰプロトコルであるならば、サービス・データのＣＤＲ情報は、ＨＴＴＰ処理モジュールによって抽出され、そして、ステップ３０９が実行される。ＣＤＲ情報は、サービス・データの送信がスタートしたときの日付及び時刻と、サービス・データを受信しかつ送るためのＭＳＩＳＤＮと、ＩＭＳＩと、サービス・データ−ＨＴＴＰのトランスポート・プロトコルと、ＵＲＬと、ＧＧＳＮ ＩＰアドレスと、ＳＧＳＮ ＩＰアドレスと、送信されるバイトのアップリンク番号と、送信されるバイトのダウンリンク番号と、を含む。
【００３７】
ステップ３０５〜３０６：  サービス・データのポート番号がＰＯＲＴ３であるならば、すなわち、サービス・データの送信レイヤのベアラ・プロトコルが、ＷＡＰプロトコルであるならば、サービス・データのＣＤＲ情報は、ＲＴＰ／ＲＴＳＰ処理モジュールによって取り込まれ、そして、次に、ステップ３０９が実行される。ＣＤＲ情報は、ステップ３０１及び３０２における情報と同じである。
【００３８】
ステップ３０７〜３０８：  サービス・データのポート番号がＰＯＲＴ４であるならば、すなわち、サービス・データの送信レイヤのベアラ・プロトコルが、もう１つのプロトコルであるならば、サービス・データのＣＤＲ情報は、他の処理モジュールによってピックアップされ、そして、次に、ステップ３０９に行く。ＣＤＲ情報は、ユーザの需要に従って構成され得る。
【００３９】
ステップ３０９：  サービス・データを受信しかつ送るためのＭＳがプリペイド・ユーザであるか否かを決定し、プリペイド・ユーザであるならば、ステップ３１０に行き、そうでないならば、ステップ３１１に行く。
【００４０】
ステップ３１０：  ＰＲＯＸＹ装置は、該ＰＲＯＸＹ装置とプリペイド課金システムとの間の実時間インターフェースを介してプリペイド課金システムにサービス・データのＣＤＲ情報を伝達する。プリペイド課金システムは、ＣＤＲ情報に従ってサービス・データを受信しかつ送るＭＳのために課金を履行し、ステップ３１２に行く。
【００４１】
ステップ３１１：  ＰＲＯＸＹ装置は、該ＰＲＯＸＹ装置と実時間課金システムとの間の実時間インターフェースを介して実時間課金システムにサービス・データのＣＤＲ情報を転送する。実時間課金システムは、ＣＤＲ情報に従ってサービス・データを受信しかつ送るＭＳのために課金を達成し、ステップ３１２に行く。
【００４２】
実時間課金システムまたはプリペイド課金システムは、サービス・データのプロトコル・タイプに従って異なった課金方式（モード）をプリセットする。実時間課金システムまたはプリペイド課金システムが、ＤＲ情報についてＭＳによって受信されかつ送信されるサービス・データを課金するとき、課金システムは、ＣＤＲ情報から受信されかつ送られたサービス・データのプロトコル・タイプを学習し、それにより、このプロトコル・タイプのサービス・データがどの課金方式（モード）を課金されるべきかを知って、それをこの方式によって課金する。例えば、ＨＴＴＰサービスは、メッセージのピース（断片）によって課金される。ＭＳがサービス・データを受信するもしくは送るとき、ＰＲＯＸＹ装置は、サービス・データを取得し、そして、サービス・データのプロトコル・タイプを含むサービス・データのＣＤＲ情報を収集する。サービス・データのプロトコルがＨＴＴＰであると仮定すると、実時間課金システムまたはプリペイド課金システムにサービス・データのＣＤＲ情報を送った後、実時間またはプリペイド課金システムは、ＣＤＲ情報からサービス・データのクラスを学習し、そして、サービス・データがプリセットに従ってメッセージのピースによって課金されるべきであるということを知る。次に、課金システムは、量ベースの課金勘定（ビル）ではなくむしろサービス・データによって発生される内容ベースの課金勘定（ビル）に従って課金するであろう。
【００４３】
実時間課金システムまたはプリペイド課金システムは、また、サービス・クラスまたはサービス・データのＵＲＬに従って異なった課金方式（モード）をプリセットし得る。ＰＲＯＸＹ装置によって収集されたサービス・データのＣＤＲ情報が課金システムに送られるとき、実時間またはプリペイド課金システムは、ＣＤＲ情報に従って課金を行うであろう。サービス・データのクラスが内容ベースの課金として限定されるとき、サービス・データは、発生された内容ベースの課金勘定（ビル）に従って課金され；  サービス・データのクラスが量ベースの課金として限定されるとき、サービス・データは、発生された量ベースの課金勘定（ビル）に従って課金される。
【００４４】
サービス・サーバが或るサービス・データの情報を収集して、実時間またはプリペイド課金システムにおける価格を控除した場合には、実時間またはプリペイド課金システムは、ＰＲＯＸＹ装置によって取得されたサービス・データが、ＰＲＯＸＹ装置によって収集されたサービス・データのＣＤＲ情報に従ってサービス・サーバによって取得されたサービス・データと同じであるということに気づき、そして、ＰＲＯＸＹ装置によって取得されたサービス・データに対する価格をもはや控除しないであろう。
【００４５】
実時間またはプリペイド課金システムが、いかにして、異なったサービス・データを課金するかは、前以ってセットされるものであり、本発明は、サービス・データを収集するための装置を単に提供するだけである。収集装置は、サービス・データのための課金情報を集めて、ＣＤＲ情報を形成する。サービス・データのＣＤＲ情報は、実時間またはプリペイド課金システムによって必要とされるサービス・データのすべての課金情報を含み、それは、実時間課金システムが同じサービス・データを２回課金するのを阻止する。
【００４６】
実時間課金システムは、サービス・データの価格を実時間で計算して、或る時間後にその価格を課金し、他方、プリペイド課金システムは、プリペイドされた金銭でもって前以ってプリペイド・ユーザのための口座（ａｃｃｏｕｎｔ）をセットして記憶し、そしてその口座からサービス・データの価格を控除するもしくは差し引く（ｄｅｄｕｃｔ）。
【００４７】
ステップ３１２：  サービス・データ・フローに従って適切なＭＳに対して控除または荷役料金（ターミナル・チャージ）を行う間、ＰＲＯＸＹ装置は、ＧＧＳＮ及びＳＧＳＮを介して適切なＭＳに送られるサービス・データを透過的に送信する。
【００４８】
以後、この発明のための一実施形態を説明し、例えば、ＭＳがＨＴＴＰプロトコルにより、www.sina.com.cn/entertainment.html をブラウズ（閲覧）するとき、ＰＲＯＸＹ装置にアクセスするＩＰポートの番号はＩＰレイヤを介して８０として検出され、従って、サービス・データのプロトコル・タイプはＨＴＴＰであるということが知られ、そしてＨＴＴＰプロトコルに対する量ベースの課金レート（ｃｈａｒｇｉｎｇ  ｒａｔｅ）が採用される。もし、それがＵＲＬに基づく課金として限定されるならば、課金は、特定のアクセスされたＵＲＬのレートに従って行われるであろう。もし、それがＱｏＳに基づく課金として限定されるならば、課金レートは、ＱｏＳと共に変わる。
【００４９】
本発明は、サービス・データに対して正確に課金することを可能とし、このことは、サービス・データに対する課金需要に叶うものであり、かつ現存のワイヤレス・ネットワークにおいてサービス・データに対する度重なる課金を阻止するための解決法を提供し、従って、ネットワークのオペレータに対してパケット・データ・サービスを良好に促進し、ユーザの消費を奨励し、そして一層の企業利益を創成する。本発明は、データ・サービスの種々のクラスに対して１つだけまたは２、３のＡＰＮによる正確な課金に対する解決法を提供する。プリペイド・ユーザのサービス・データに関しては、本発明は、ＳＣＰとのインターフェース上に支援（サポート）を提供することにより、実時間の控除並びにプリペイド課金方式における課金の問題を解決する。本発明により提供される装置は、拡張可能なものとして特徴付けられ、応用（アプリケーション）レイヤ・プロトコルの新しいタイプが加えられたとき、プロトコル配分処理モジュールのようなモジュールには何等変更が行われず、新しいプロトコル・タイプのための処理及び収集モジュールだけが加えられる。
【００５０】
上述の内容は、本発明の好適な実施形態を説明するためだけにあり、本発明を制限するものとして解釈されるべきではない。本発明の精神及び原理から逸脱することなく行なわれるいかなる変更、均等物置換、または改良は、本発明の保護範囲によって包摂されるべきである。
【図面の簡単な説明】
【００５１】
【図１】本発明によるワイヤレス・ネットワークにおけるサービス・データの量情報を収集するためのシステム・アーキテクチャを示す図である。
【図２】本発明によるＰＲＯＸＹ装置の詳細構造を示す図である。
【図３】本発明による、ＰＲＯＸＹ装置によってサービス・データ上への量ベースの課金を示すフローチャートである。
【符号の説明】
【００５２】
２００      プロトコル配分処理モジュール
２０１      ＨＴＴＰ処理モジュール
２０２      ＩＮＴＥＲＮＥＴ
２０３      ＷＡＰ処理モジュール
２０４      ＷＡＰ ＧＷ
２０５      ＴＣＰ／ＩＰ処理モジュール
２０６      ＡＰＰ（アプリケーション）サーバ
２０７      ＲＴＰ／ＲＴＳＰ処理モジュール
２０８      ストリーム・メディア・サーバ
２０９      プロトコル処理モジュール
２１０      ＧＧＳＮ
【図１】
2007511936.tif 000003
【図２】
2007511936.tif 000004
【図３】
2007511936.tif 000005
【国際調査報告】
2007511936.tif 000006
2007511936.tif 000007
2007511936.tif 000008
2007511936.tif 000009